(57)【要約】【課題】書き込み読み取り精度の高い非接触通信システムと非接触型ＩＣカード検査発行装置を提供する。【解決手段】本発明の非接触通信システムは、非接触ＩＣカード１と非接触で通信可能なアンテナ１２と制御回路部とを有するリーダライタを複数台並列して有する非接触通信システムにおいて、各リーダライタ間に高透磁率材料からなる板材２が配設されていることを特徴とする。本発明の非接触型ＩＣカード検査発行装置は非接触型ＩＣカードの検査発行装置を複数台並列して配置する装置において、各個別の検査発行装置間に高透磁率材料からなる板材が配設されていることを特徴とする。【選択図】　　図１
2004070779.tif 000002
【特許請求の範囲】
【請求項１】
非接触型ＩＣカードと非接触通信可能なアンテナと制御回路部とを有するリーダライタを複数台並列して有する非接触通信システムにおいて、各リーダライタ間に高透磁率材料からなる板材が配設されていることを特徴とする非接触通信システム。
【請求項２】
高透磁率材料からなる板材がフェライトからなる電磁波吸収体であることを特徴とする請求項１記載の非接触通信システム。
【請求項３】
非接触型ＩＣカードの検査発行装置を複数台並列して配置する装置において、各個別の検査発行装置間に高透磁率材料からなる板材が配設されていることを特徴とする非接触型ＩＣカード検査発行装置。
【請求項４】
高透磁率材料からなる板材がフェライトからなる電磁波吸収体であることを特徴とする請求項３記載の非接触型ＩＣカード検査発行装置。
【発明の詳細な説明】
【０００１】
【発明の属する技術分野】
この発明は、ＩＣカードの非接触通信システムや非接触型ＩＣカード検査発行装置に関する。
詳しくは、リーダライタを複数台並列設置する非接触通信システムや非接触型ＩＣカード検査発行装置において書き込み読み取り精度を高めることや装置サイズの縮小を図る技術に関する。
【０００２】
【従来技術】
ＩＣカードは、データの通信を接点を介して行う接触型ＩＣカードと、アンテナを介する電磁誘導方式等の非接触通信手段にて行う非接触型ＩＣカードに分類される。接触型ＩＣカードは、電源供給、データ授受を接点を介して行うため、安定した通信が可能となり、複雑な暗号処理機能を有する決済用途等に用いられている。
一方、非接触型ＩＣカードは、接点を必要としないため、耐振動性、耐塵性、利用者の利便性等に優れており、交通システム等のゲート・アクセス管理等に用いられている。
【０００３】
この非接触型ＩＣカードとの非接触通信システムや検査発行処理は、非接触で読み取り検査、書き込み処理を行うが、処理を一括して大量に行う場合、処理時間が長くかかるため、データ書き込み処理、読み取り検査に、複数台のリーダライタを並列設置して処理能力を向上させた非接触通信システム、非接触型ＩＣカード検査発行装置が開発されている。
【０００４】
図２は、複数台のリーダライタからなる通信システムの従来例、図３は、同様の場合における他の従来例を示す図である。
図２の場合、リーダライタ１０Ａとリーダライタ１０Ｂ間には遮蔽物が設けられていない。リーダライタ１０には、制御回路を有する回路基盤１１に板状のアンテナ１２が設けられていて、非接触ＩＣカード１に対してデータの書き込みを行い、書き込み後は書き込んだデータを再読み取りしてデータの検査を行う。
リーダライタを並列設置する場合は、Ｌ＝１０ｃｍ程度となる。
図３は、リーダライタ１０Ａと１０Ｂの間に金属遮蔽物５を配設した場合で、ｌ１　＝ｌ２　＝５ｃｍ程度にしてある。
【０００５】
【発明が解決しようとする課題】
しかし、上記、図２の構成において、リーダライタ間の距離を狭めた場合、例えば、Ｌ＝５ｃｍ程度とした場合には、リーダライタ１０Ａにおけるリーダライタ自身が非接触ＩＣカード１との通信を行うに際して発せられる交流信号３自身が、他のリーダライタ１０Ｂにおける非接触ＩＣカードとの通信に対するノイズ源となり、通信安定性に悪影響を及ぼす。
また、上記、図３のように、リーダライタ間に金属遮蔽物５を設置した場合には、各リーダライタが放出する電磁波がノイズ源となることを防止ことは可能となるが、金属物が近くにある影響により干渉波６等が生じ、カード１とリーダライタとの通信に影響を与え通信特性が劣化する。
したがって、通信特性を安定にするためには、各々のリーダライタの間隔を広げる必要があったため、処理能力が低下し、かつ装置サイズを大きくする必要があった。
【０００６】
【課題を解決するための手段】
上記課題を解決する本発明の第１は、非接触型ＩＣカードと非接触通信可能なアンテナと制御回路部とを有するリーダライタを複数台並列して有する非接触通信システムにおいて、各リーダライタ間に高透磁率材料からなる板材が配設されていることを特徴とする非接触通信システム、にある。
【０００７】
上記課題を解決する本発明の第２は、非接触型ＩＣカードの検査発行装置を複数台並列して配置する装置において、各個別の検査発行装置間に高透磁率材料からなる板材が配設されていることを特徴とする非接触型ＩＣカード検査発行装置、にある。
【０００８】
【発明の実施の形態】
以下、図面を参照して本発明の実施形態について説明する。
図１は、本発明の非接触通信システムまたは非接触型ＩＣカード検査発行装置を示す図である。なお、非接触通信システム、非接触型ＩＣカード検査発行装置といってもいずれも非接触リーダライタの機能を使用することで同様のものであるので、同一の図で図示している。また、以下、「非接触通信システム」の用語で統一して説明することとする。
ただし、非接触型ＩＣカード検査発行装置の場合は、ＩＣチップ内のデータ処理とカードの目視確認情報との整合性を保つ必要性があるため、カード表面に絵柄を印刷可能なプリンタ装置等が接続されて同時に使用される場合が多い。
【０００９】
図１のように、本発明の非接触通信システムは、複数台の非接触リーダライタ１０Ａ，１０Ｂを並列設置した構成からなっている。図１の場合、２台が図示されているが３台以上であっても構わない。
非接触リーダライタ１０は、リーダライタのアンテナ１２の面にほぼ密接するように（通常は、アンテナ面と２〜５ｍｍの間隔をおいて）挿入された非接触ＩＣカード１に対して交流信号３を送信して所定の事項を非接触ＩＣカード１のメモリに記録する。ＩＣカードからの応答を受信する場合も同様であって、リーダライタからの問い合わせに対して交流信号４が非接触ＩＣカードからアンテナ１２に送信される。
【００１０】
図１において、１２は板面状のアンテナであって、フォトエッチングやプリント配線あるいは捲線で形成されたコイルが誘電体の中に埋設されている。コイル形状は特に限定されず、円形状や矩形状等、非接触ＩＣカード１のコイルとほぼ同様に形成されている。
回路基盤１１から生成される共振電波はコネクタ（不図示）によりアンテナ１２の面に供給されて所定周波数の交流信号を送信する。
非接触型ＩＣカード１の通信周波数には、１２５ｋＨｚ、１３．５６ＭＨｚ、．４５ＧＨｚ、５．８ＧＨｚ（マイクロ波）等を使用できるが、１３．５６ＭＨｚの使用が一般的である。
【００１１】
本発明の非接触通信システムでは、２台のリーダライタ１０Ａ，１０Ｂ間に高透磁率材料からなる板材２を配設する。板材は２台のリーダライタを５ｃｍ程度の間隔で設置した場合に、両者を隔てるように略中間（ｌ１　＝ｌ２　＝２．５ｃｍ程度）に配設するのが好ましい。リーダライタ間以外の部分、即ち図面に平行な面の前後等に配設するのも自由である。
【００１２】
高透磁率材料からなる板材２とは、いわゆる電磁波吸収特性を有する板材を意味し、一般的には、フェライト板状粉末を焼結体にしたり、有機材料中に分散した状態で使用される。電磁波を偏平なＦｅ系合金の微小粉末を周回する渦電流に変換することにより熱として放出するため、電波を反射しない特性を有すると言われる。各種の厚みのものがシート状で市販されており任意のサイズに切断して使用することができる。
【００１３】
【実施例】
（実施例）
微弱出力型非接触ＩＣカード用リーダライタ３台を並列配置して非接触ＩＣカードリーダライタを作製した。
各リーダライタ間の距離を５ｃｍとし、そのそれぞれの中間の位置にフェライトからなる板状弱磁石（ティー・ディー・ケイ株式会社製；大きさ１００ｍｍ×１００ｍｍ、厚さ５ｍｍ、磁束密度２０００〜３０００ガウス）をリーダライタのアンテナ面と平行になるように配設した。
その他の条件は通常の非接触リーダライタと同一として、エンコードを行ったところ、エンコードの不良は発生しなくなった。
なお、リーダライタの動作周波数は、１３．５６ＭＨｚ、アンテナ面サイズは、４５ｍｍ×６２ｍｍ、非接触ＩＣカードのサイズは、８５．６ｍｍ×５４．０ｍｍであった。
【００１４】
【発明の効果】
上述のように、本発明の非接触通信システムまたは非接触型ＩＣカード検査発行装置は、複数台のリーダライタが並列設置されている各リーダライタ間に高透磁率材料からなる板材が配設されているため、電磁波の反射および透過を防止して書き込み読み込み精度を高めることができるとともに、リーダライタ間の距離を近接することができるので装置サイズの縮小を図ることができる。
【図面の簡単な説明】
【図１】本発明の非接触通信システムまたは非接触型ＩＣカード検査発行装置を示す図である。
【図２】複数台のリーダライタからなる通信システムの従来例を示す図である。
【図３】同様の場合における他の従来例を示す図である。
【符号の説明】
１　　非接触ＩＣカード
２　　高透磁率材料からなる板材
３，４　　交流信号
５　　金属遮蔽板
６　　干渉波
１０　　非接触リーダライタ
１１　　回路基盤
１２　　アンテナ面
【図１】
2004070779.tif 000003
【図２】
2004070779.tif 000004
【図３】
2004070779.tif 000005